(57)【特許請求の範囲】
【請求項１】
挿入口より挿入されたカードを保持位置に保持するカード保持装置であって、
挿入されるカードの先端が当接し、この先端付近で、当該カードを含む平面内においてカード挿入方向に対して側方から当該カードを挟持する一対の保持片を備えた保持部材と、
保持部材を挿入口に向けて付勢する弾性部材と、
保持部材を、前記弾性部材の付勢力に抗して、カードが保持位置となる位置で係止するラッチ片と、
を有し、
ラッチ片の係止を解除し、弾性部材の付勢力によりカードが排出されるときに、前記保持片はカードを挟持した状態を維持する、
カード保持装置。
【発明の詳細な説明】
【技術分野】
【０００１】
本発明は、挿入口より挿入されたカードを保持位置に保持するカード保持装置であって、特に、その構造に関する。
【背景技術】
【０００２】
多種多様の、情報を記録した名刺大のカードが普及している。このようなカードに、商業施設等に係る顧客カードと呼ばれるものがある。顧客カードには、そのカードの所有者を特定するための情報、このカードに係る商業施設の利用状況を示す情報等が記録されている。パチンコ店などの遊技施設においては、顧客は、自分のカードを、例えば遊技台に併設されたカードリーダライタに挿入する。そして、利用に応じてカードに記憶された情報が書き換えられる。利用が終わると、カードは、リーダライタより排出され顧客に返却される。
【０００３】
カードを取り扱う装置が、例えば下記特許文献に記載されている。
【０００４】
【特許文献１】特開平７−２８７７４１号公報
【発明の開示】
【発明が解決しようとする課題】
【０００５】
カードがリーダライタから送出されるとき、ばね等の弾性部材の付勢力によって排出されると、勢い余ってカードが大きく飛び出し、顧客がこれを受け取ることができない場合があった。
【０００６】
本発明は、カードを挿入口より排出する際、排出の勢いで飛ばさないようにすることを目的とする。
【課題を解決するための手段】
【０００７】
前述の課題を解決するために、本発明に係るカード保持装置は、弾性部材により挿入口に向けて付勢された保持部材に、カードを、このカードを含む平面内においてカード挿入方向に対して側方から挟持する一対の保持片を備えている。弾性部材の付勢力により、カードが挿入口より排出されるとき、保持片がカードを保持していることにより、カードが勢いで飛び出すことが防止される。
【発明を実施するための最良の形態】
【０００８】
以下、本発明の実施形態を、図面に従って説明する。図１は、パチンコ等の遊技台１０が複数並んで配置された様子を示している。実際の遊技施設においては、より多くの遊技台１０が横方向に並んで配置される。遊技台１０に隣接して、玉、メダルなどの遊技媒体を貸し出す遊技媒体貸出機１２が設けられている。遊技媒体貸出機１２には、顧客カードの情報を読み取り、また顧客カードに情報を書き込むカードリーダライタ１４が設けられている。顧客カードには、そのカードの所有者が当該施設をどの程度利用したかを示す情報等が記憶されている。具体的には、借り受けた遊技媒体の量またはこれに対応したポイントが書き込まれており、これは、媒体を借りるたびにリーダライタ１４により書き換えられる。
【０００９】
図２は、カードリーダライタ１４を抜き出して示した図である。カードリーダライタ１４のケース１６は、概略直方体であり、その一面が開放したケース本体１８と、ケース本体１８の開放した一面を覆うケース蓋２０と、遊技者側の面である正面を覆う正面カバー２２を含む。正面カバー２２には、顧客カード２６（図３参照）が挿入される挿入口２４が設けられている。カードリーダライタ１４は、挿入されたカードを保持するカード保持装置として機能し、保持している状態で、カードに記憶された情報の読み出し、また新たな情報の書き込みを行うことができる。また、顧客が遊技を終了するときには、顧客の、所定のボタンを押すなどの排出操作によりカードを排出する。
【００１０】
図３は、ケース蓋２０と正面カバー２２を取り去った状態のケース本体１８を示した図である。また、挿入途中の顧客カード２６も示している。ケース本体１８の、ケース蓋２０で覆われる面には、凹部が形成され、この凹部がカード挿入路２８となっている。カード挿入路２８を形成する凹部の底面３０（以下、カード挿入路底面と記す。）には、カード挿入方向に４本の凸条３２が設けられ、顧客カード２６がスムースに移動できるようガイドしている。また、カード挿入路底面３０は、開口３４を有している。本実施形態のケース１６においては、この開口３４は、カード挿入方向に長い、長方形の形状を有している。開口３４には、背面側から、保持片３６が頭を出している。保持片３６は挿入口２４側に向けて開いた略コの字形の形状を有している。後述するように、保持片３６は、長方形の開口３４の長手方向に沿って移動可能となっており、顧客カード２６が挿入されると、これの端が当接し、さらに厚さ方向よりこれを挟持する。保持片３６は、この例では、２個設けているが、これより多く設けることもでき、また１個とすることも可能である。
【００１１】
図４は、カードリーダライタ１４を図３の背面側から見た図である。図中左方が、遊技台の正面側であり、よって、顧客カード２６は左方より挿入される。保持板３８が、カード挿入路底面３０の裏面に配置される。より詳細には、保持板３８の上下の辺が、カード挿入路底面３０の裏面と、ケース本体１８に設けられた支持爪４０との間に、摺動可能に保持されている。保持板３８に、前述した保持片３６が設けられており、図４においては保持板３８に設けられた開口を通して、向こう側の保持片３６を見ることができる。保持板３８は、本実施形態ではバネ４２である弾性部材により、挿入口側に設けて付勢されている。
【００１２】
さらに、カードリーダライタ１４の背面側には、保持板３８を奥に押し込んだ位置で保持するためのラッチ機構が設けられている。ラッチ機構について、図５を併せて用いて説明する。図４には、顧客カード２６を受け入れる前の保持板３８の位置（以下、受入れ位置と記す。）が示され、図５にはカード２６の挿入が完了した時点の保持板３８の位置（以下、保持位置と記す。）が示されている。保持板３８の挿入口側には、ラッチレバー４６がラッチ軸４４に回動可能に支持されている。ラッチレバー４６は、バネ４８により時計回りに付勢されている。このバネ４８の付勢力により、保持板３８が受入れ位置にあるときは、保持板３８の係合部５０の側辺にラッチレバー４６のラッチ片５２が当接している。保持板３８が保持位置にあるときは、ラッチレバーのラッチ片５２は、保持板の係合部５０の先端に当接する。ラッチレバー４６には、例えば電磁ソレノイドなどのアクチュエータ５４が接続されており、このアクチュエータ５４によりバネ４８の付勢力に抗してラッチレバーを回動させることができる。ラッチレバー４６の回動範囲を規定するために、このレバー４６を略Ｌ字形に構成することができる。すなわち、Ｌ字形の、アクチュエータ５４が接続された側とは反対側の端５６が、ケース本体１８に設けられた当接部５８に当接することにより、回動範囲が規定される。図５の保持位置に保持板３８があるときに、アクチュエータ５４が動作して、ラッチレバー４６が左回りに回転すると、保持板の係合部５０の先端とラッチレバーのラッチ片５２との係合が解除され、バネ４２の付勢力により保持板３８が図４の受入れ位置まで移動する。
【００１３】
次に、例示の形態のカードリーダライタ１４のカード保持動作について説明する。顧客カード２６が挿入されていないときは、カードリーダライタ１４の状態は図３および図４に示す状態である。つまり、保持板３８は受入れ位置にある。顧客カード２６を挿入すると、まず、カード２６の奥側の辺部が、保持片３６のコの字の中に挿入され、コの字の縦画の部分に当接する。このとき、コの字の上下の横画により顧客カード２６がその厚さ方向より挟持される。顧客カード２６の挿入を続けると、これに伴って保持板３８がバネ４２の付勢力に抗して奥へ動き、図５の保持位置まで動いたときに、ラッチレバー４６がバネ４８の付勢力によって時計回りに回動して係合部５０の先端とラッチ片５２が係合する。この係合によって、保持板３８は保持位置に係止される。このときのカードリーダライタ１４の様子が図６に示されている。図６に示されるように、顧客カード２６の奥側の辺部は、保持片３６により、カード厚さ方向に挟持されている。
【００１４】
遊技者が顧客カードを取り出そうとして、所定の操作を行うと、アクチュエータ５４が動作してラッチレバー４６を反時計回りに回動させる。この回動により、ラッチレバーのラッチ片５２が係合部５０の先端から外れて、保持板３８の係止状態が解除され、バネ４２の付勢力により保持板３８が受入れ位置へと移動する。この保持板３８の移動に伴って顧客カード２６も保持片３６に挟持された状態で移動する。保持板３８は、受入れ位置にて、ケース本体１８に当接し、停止する。このとき、保持板３８が急激に停止するが、保持片３６が顧客カード２６を挟持しているため、挿入口２４より全て飛び出さず、一部がカードリーダライタ１４内に保持された状態となる。遊技者は、顧客カード２６の挿入口より出ている部分をつまんで、引き出すことより、保持片３６から抜き取られる。
【００１５】
図７は、この発明の実施形態に係るカードリーダライタ６４の要部を示す図である。前出のカードリーダライタ１４との比較において、保持片の形状に差異がある。すなわち、カードリーダライタ１４の保持片３６は、顧客カード２６の厚さ方向よりこれを挟持するものであったが、このカードリーダライタ６４の保持片６６は、カードの面内方向、図７では上下方向より挟持するものである。したがって、保持片６６は、上下の二つで対をなし、二つの保持片により顧客カードを挟持する。この点において、個々の保持片が顧客カード２６を保持する保持片３６の構成と異なっている。
【００１６】
図７の保持片６６は、カードリーダライタ１４の保持板３８と同様の保持板に設けられており、顧客カード２６の角部分に沿う形状の略Ｌ字形のアーム部分を有することができ、このアーム部分の先端において、顧客カード２６を挟持する。また、このＬ字形のアームを有する態様においては、Ｌ字形の図中上下方向に延びる画の部分に、挿入されてくる顧客カード２６が当接する。これにより、保持板３８に顧客カード２６を挿入する力を伝達することができる。顧客カード２６の面内方向から挟持するようにしたことにより、保持片が、カードの表面より図中手前側に突出する量（寸法）を小さくすることができる。これによりカードリーダライタの厚さ、すなわち遊技台の正面側からみたときの左右方向の寸法を小さくすることができる。なお、保持片６６は、顧客カードの挿入方向においてカードが当接する部分と、カードを保持する部分を一体に設けたものであるが、これらの部分を別個に設けることもできる。
【００１７】
以上のように、上述の実施形態のカードリーダライタ１４，６４は、顧客カード２６を保持片３６，６６により保持することで、バネの付勢力による排出時に、排出の勢いで、カードがカードリーダライタ１４，６４から飛び出て落ちてしまうことを防止することができる。
【００１８】
なお、本実施形態は、遊技台１０に隣接して配置された遊技媒体貸出機１２に備えられたカードリーダライタに関するものであるが、挿入されて保持されているカードを、バネ等の弾性部材の付勢力により排出するカード保持装置一般に適用することができる。
【図面の簡単な説明】
【００１９】
【図１】遊技台と遊技媒体貸出機を示す図である。
【図２】遊技媒体貸出機に備えられたカード保持装置（カードリーダライタ）の外観を示す図である。
【図３】カード保持装置の内部の構成を示す図である。
【図４】カード保持装置を、図３の背面側から見た図であり、保持板３８が受入れ位置にある状態を示す図である。
【図５】カード保持装置を、図３の背面側から見た図であり、保持板３８が保持位置にある状態を示す図である。
【図６】カードが挿入された状態のカード保持装置を示す図である。
【図７】本実施形態のカード保持装置を示す図である。
【符号の説明】
【００２０】
１０  遊技台、１２  遊技媒体貸出機、１４，６４  カードリーダライタ（カード保持装置）、１６  ケース、１８   ケース本体、２４  挿入口、２６  顧客カード、３６，６６  保持片、３８  保持板、４２  バネ、４６  ラッチレバー、５０  係合部、５２  ラッチ片。
【図１】
0005132082.tif 000002
【図２】
0005132082.tif 000003
【図３】
0005132082.tif 000004
【図４】
0005132082.tif 000005
【図５】
0005132082.tif 000006
【図６】
0005132082.tif 000007
【図７】
0005132082.tif 000008